(57)【要約】【課題】  地図の表示範囲の制御を単純化し、操作ミスを少なくする。【解決手段】  目的地などの地点入力に基づき経路探索を行い、探索した経路にしたがって経路案内を行うナビゲーション装置において、地図データを記憶する記憶手段３と、回転操作とエンター操作により入力操作を行うためのジョグダイヤル１１と、地図を表示する表示手段１２と、ジョグダイヤルの操作に応じて記憶手段３に記憶した地図データを読み出して表示手段１２に地図を表示する表示制御手段４とを備え、表示制御手段４は、ジョグダイヤル１１が回転操作されている間は回転操作の方向に応じて地図のズーム制御を行い、ジョグダイヤル１１の回転操作が止められると地図の移動制御を行うモードを選択可能な状態にする。【選択図】      図７
2006317458.tif 000002
【特許請求の範囲】
【請求項１】
目的地などの地点入力に基づき経路探索を行い、探索した経路にしたがって経路案内を行うナビゲーション装置において、
地図データを記憶する記憶手段と、
回転操作とエンター操作により入力操作を行うジョグダイヤルと、
地図を表示する表示手段と、
前記ジョグダイヤルの入力操作に応じて前記記憶手段に記憶した地図データを読み出して前記表示手段に地図を表示する表示制御手段と
を備え、前記表示制御手段は、前記ジョグダイヤルが回転操作されている間は回転操作の方向に応じて地図のズーム制御を行い、前記ジョグダイヤルの回転操作が止められると地図の移動制御を行うモードを選択可能な状態にすることを特徴とするナビゲーション装置。
【請求項２】
前記表示制御手段は、地図のズーム制御を行うモードにおいて、前記ジョグダイヤルの回転操作が止められたときに前記表示手段の画面に地図のズーム制御を行うモードを解除するボタンを表示し選択可能な状態にすることを特徴とする請求項１記載のナビゲーション装置。
【発明の詳細な説明】
【技術分野】
【０００１】
本発明は、目的地などの地点入力に基づき経路探索を行い、探索した経路にしたがって経路案内を行うナビゲーション装置に関する。
【背景技術】
【０００２】
ナビゲーションシステムにおいて、地図を表示して地点を検索したり登録する場合に、地図の表示範囲を移動したり（スクロール）、縮尺を変更したり（ズーム）する操作が行われる。従来、リモコンを使い画面中を移動する／画面を移動させる操作には、複合操作（全方向に移動操作）が可能なジョイスティックを操作デバイスの中心としている。そのほかに、タッチパネルの画面にスクロール方向のタッチエリアを表示し、方向をタッチして選択しスクロールするものや、８方向のスクロールメニューを表示し、その１つをマウスで指示してスクロールするもの、トラックボールを用いてボールの回転方向、回転速度によりスクロールするものなど（例えば、特許文献１〜３参照）がある。
【特許文献１】特開平６−４０２５号公報
【特許文献２】特開平９−４４０８４号公報
【特許文献３】特開平９−８１０３２号公報
【発明の開示】
【発明が解決しようとする課題】
【０００３】
しかし、上記従来の方法では、スクロールはできてもズームを行うために別の操作方法が必要であった。例えば、縮尺を変更するためのボタンをスクロール用の操作デバイスと別に設ける場合がある。この場合、ボタンの位置を間違えて操作するなど、操作ミスをしてしまうこともある。
【０００４】
特に従来のジョイスティックによる操作では、スティックを各方向に「倒す」／スティックを軸方向に「押す」という多方向、複数軸（前後左右多方向＋上下）の操作が複合して成立しているので、ユーザには、意図しない方向へ倒す、押すという操作ミスが発生しやすいという問題がある。また、ジョイスティックを基本としている操作では、スティックの「倒す」／「押す」の操作量や操作時間により移動量を決定していたため、ユーザの所望する地点を越えてしまったり手前で止まってしまったりして、微妙な操作をすることが困難である。ジョイスティックを基本としている操作の遷移では、操作回数が少なく、複合的な操作ができる反面、ユーザには、１操作に対する負荷が増加し、ストレスを感じやすい。
【課題を解決するための手段】
【０００５】
本発明は、上記の課題を解決するものであって、地図の表示範囲の制御を単純化し、操作ミスを少なくするものである。
【０００６】
そのために本発明は、目的地などの地点入力に基づき経路探索を行い、探索した経路にしたがって経路案内を行うナビゲーション装置において、地図データを記憶する記憶手段と、回転操作とエンター操作により入力操作を行うジョグダイヤルと、地図を表示する表示手段と、前記ジョグダイヤルの入力操作に応じて前記記憶手段に記憶した地図データを読み出して前記表示手段に地図を表示する表示制御手段とを備え、前記表示制御手段は、前記ジョグダイヤルが回転操作されている間は回転操作の方向に応じて地図のズーム制御を行い、前記ジョグダイヤルの回転操作が止められると地図の移動制御を行うモードを選択可能な状態にすることを特徴とし、また、前記表示制御手段は、地図のズーム制御を行うモードにおいて、前記ジョグダイヤルの回転操作が止められたときに前記表示手段の画面に地図のズーム制御を行うモードを解除するボタンを表示し選択可能な状態にすることを特徴とするものである。
【発明の効果】
【０００７】
以上の説明から明らかなように、本発明によれば、地図データを記憶する記憶手段と、回転操作とエンター操作により入力操作を行うジョグダイヤルと、地図を表示する表示手段と、前記ジョグダイヤルの入力操作に応じて前記記憶手段に記憶した地図データを読み出して前記表示手段に地図を表示する表示制御手段とを備え、前記表示制御手段は、前記ジョグダイヤルが回転操作されている間は回転操作の方向に応じて地図のズーム制御を行い、前記ジョグダイヤルの回転操作が止められると地図の移動制御を行うモードを選択可能な状態にするので、ジョグダイヤルの２方向の回転操作の単純性を活かしつつ、スムーズな地図のズーム及び移動が可能になる。しかも、操作回数は増えるが、デバイス操作に明快さが加わるので、操作ミスも少なくなり、地図のズーム及び移動の方向の修正も速やかにでき、ユーザの操作ストレスを軽減することができる。
【発明を実施するための最良の形態】
【０００８】
以下、本発明の実施の形態を図面を参照しつつ説明する。図１は本発明に係るナビゲーション装置の実施の形態を示す図であり、経路案内に関する情報を入出力する入出力装置１、自車両の現在位置に関する情報を検出する現在位置検出装置２、経路の算出に必要なナビゲーション用データおよび案内に必要な表示案内データ等が記憶されている情報記憶装置３、経路探索処理や経路案内に必要な表示案内処理を行うと共にシステム全体の制御を行う中央処理装置４から構成したものである。まず、それぞれの構成について説明する。
【０００９】
入出力装置１は、目的地を入力したり、運転者が必要な時に案内情報を音声および／または画面により出力できるように、運転者の意志によりナビゲーション処理を中央処理装置４に指示すると共に、処理後のデータなどをプリント出力する機能を備えている。その機能を実現するための手段として、入力部には、目的地を電話番号や地図上の座標などにて入力したり、経路案内をリクエストしたりするジョグダイヤル１１を有する。ジョグダイヤル１１は、ダイヤルと中心部にエンターキーとを有し、回転操作することにより、画面中のカーソルや強調表示した選択位置を移動させ、エンター操作する（押す）ことにより、選択位置を決定するものであり、単独であるいは有線又は光等を用いた無線のリモコンとして他のキースイッチと組み合わせて使用してもよい。勿論、入力部として、リモコンやタッチスイッチ等の入力装置を用いてもよい。また、出力部には、入力データを画面表示したり、運転者のリクエストに応じ自動的に経路案内を画面で表示するディスプレイ１２、中央処理装置４で処理したデータや情報記憶装置３に格納されたデータをプリント出力するプリンタ１３および経路案内を音声で出力するスピーカ１６などを備えている。
【００１０】
ここで、音声入力を可能にするための音声認識装置やＩＣカードや磁気カードに記録されたデータを読み取るための記録カード読み取り装置を付加することもできる。また、ナビゲーションに必要なデータを蓄積し、運転者の要求により通信回線を介して提供される情報センターや、予め地図データや目的地データなどの運転者固有のデータが記憶されている電子手帳などの情報源との間でデータのやりとりを行うためのデータ通信装置を付加することもできる。
【００１１】
ディスプレイ１２は、カラーＣＲＴやカラー液晶表示器により構成されており、中央処理装置４が処理する地図データや案内データに基づく経路設定画面、区間図画面、交差点図画面などナビゲーションに必要なすべての画面をカラー表示出力すると共に、本画面に経路案内の設定および経路案内中の案内や画面の切り換え操作を行うためのボタンが表示される。特に、通過交差点名などの通過交差点情報は、随時、区間図画面にポップアップでカラー表示される。
【００１２】
このディスプレイ１２は、運転席近傍のインストルメントパネル内に設けられており、運転者は区間図を見ることにより自車両の現在位置を確認し、またこれからの経路についての情報を得ることができる。また、ディスプレイ１２に機能ボタンの表示に対応してタッチスイッチが設けられる場合には、ボタンをタッチすることにより入力される信号に基づいて上記の操作が実行されるように構成される。このボタンとタッチスイッチなどから構成される入力信号発生手段は入力部を構成するものであるが、ここではその詳細な説明を省略する。
【００１３】
現在位置検出装置２は、車両の現在位置に関する情報を検出、或いは受信する装置であり、地磁気センサなどで構成される絶対方位センサ２４、ステアリングセンサ、ジャイロなどで構成される相対方位センサ２５、車輪の回転数から走行距離を検出する距離センサ２６、衛星航法システム（ＧＰＳ）を利用したＧＰＳ受信装置２１及び通信装置を備えている。前記通信装置は、交通情報取得手段であるＶＩＣＳ（道路交通情報システム；Vehicle Information & Communication System）受信装置２２及びデータ送受信装置２３から構成され、ＶＩＣＳは、道路交通情報をリアルタイムでＦＭ多重（文字放送）、電波ビーコン、光ビーコンによって車両に伝送するもので、ＦＭ多重は広いエリアにわたり粗い情報を伝送し、電波ビーコン及び光ビーコンの情報は、ビーコンを中心として半径１０ｋｍ程度以内の狭いエリアの詳細な情報であって、車両がビーコンを通過すると受信できるようになっている。ＶＩＣＳ送信データは、各道路毎に付けられたリンク番号に対して、渋滞度（例えば、通行不可、渋滞、混雑、交通量多い、平常などの混雑の度合い）、渋滞先頭位置、渋滞長、通行規制（工事情報、通行止めなど）、旅行時間（所定速度での所要時間）から構成されている。また、データ送受信装置２３は、例えば携帯電話やパソコンであり、運転者の要求により交通情報センター（例えばＡＴＩＳ）との間でナビゲーションに必要な情報のやりとりを行うものである。
【００１４】
情報記憶装置３は、ナビゲーション用のプログラム及びデータを記憶した外部記憶装置で、例えばＣＤ−ＲＯＭである。プログラムは、地図描画部、経路探索部、経路案内部、現在位置計算部、目的地設定操作制御部等からなりナビゲーションの信号出力処理を行うアプリケーション部及びＯＳ部等で構成され、ここに、経路探索などの処理を行うためのプログラムや経路案内に必要な表示出力制御、音声案内に必要な音声出力制御を行うためのプログラム及びそれに必要なデータ、さらには経路案内及び地図表示に必要な表示情報データが格納されている。また、データは、経路案内に必要な地図データ（道路地図、住宅地図、建造物形状地図等）、交差点データ、ノードデータ、道路データ、写真データ、登録地点データ、目的地点データ、案内道路データ、詳細目的地データ、目的地読みデータ、電話番号データ、住所データ、その他のデータのファイルからなりナビゲーション装置に必要なすべてのデータが記憶されている。
【００１５】
中央処理装置４は、種々の演算処理を実行するＣＰＵ４０、重要な情報（例えば経路探索や経路案内を実行するプログラムや条件設定を行うデータ、各種パラメータのデータなど）を不揮発的に記憶するための書き換え可能なＲＯＭ（書き換え可能な不揮発性記憶手段）であるフラッシュメモリ４１（例えば電気的に消去可能なＥＥＰＲＯＭ：Ｅlectrically Ｅrasable and Ｐrogramable  ＲＯＭ) 、フラッシュメモリ４１のプログラムチェック、更新処理を行うためのプログラム（プログラム読み込み手段）さらにはフラッシュメモリ４１及びＲＡＭ４３のデータチェックを行いこれらに記憶された情報を相互に書き換え可能に制御するためのプログラムを格納した不揮発性記憶手段であるＲＯＭ４２、運転者の操作により任意の地点の情報を登録するメモリ地点、学習機能により蓄積される頻度情報、各種検出手段の誤差修正情報などの個人別に記憶される情報を、一時的（揮発的）に格納するとともに、ＡＣＣがＯＦＦされても格納した情報を保持することができる読み書き自在な揮発性記憶手段であるＲＡＭ４３（例えば、一時的に記憶した情報を電気的に保持できるＳＲＡＭ：Ｓtatic ＲＡＭ）、ディスプレイへの画面表示に使用する画像データが記憶された画像メモリ４４、ＣＰＵ４０からの表示出力制御信号に基づいて画像メモリ４４から画像データを取り出し、画像処理を施してディスプレイに出力する画像プロセッサ４５、ＣＰＵからの音声出力制御信号に基づいて情報記憶装置３から読み出した音声、フレーズ、１つにまとまった文章、音等を合成してアナログ信号に変換してスピーカ１６に出力する音声プロセッサ４６、通信による入出力データのやり取りを行う通信インタフェース４７および現在位置検出装置２のセンサ信号を取り込むためのセンサ入力インタフェース４８、内部ダイアグ情報に日付や時間を記入するための時計４９などを備えている。この中央処理装置４において、現在位置検出装置２の各センサにより取得されたデータをセンサ入力インタフェース４８より取り込むと、そのデータに基づきＣＰＵ４０は、一定時間毎に現在位置座標を算出し、一時的にＲＡＭ４３に書き込む。この現在位置座標は、各種データの検出誤差を考慮してマップマッチング処理を行ったものである。また、各種センサによる出力値は、常に補正が行われる。ここで、経路案内は運転者が画面表示、音声出力のいずれでも選択できるように構成されている。
【００１６】
なお、ナビゲーション用のプログラム及びデータは、データ送受信装置２３を介して外部から読み込むようなシステムとしてもよい。このようにデータ送受信装置２３を介して必要なナビゲーション用のプログラム及びデータを外部から読み込むようにすることにより、必要なプログラムや最新のデータを適宜更新して格納できるようにすることができ、また、情報記憶装置３を省き直接中央処理装置４のフラッシュメモリ４１やＲＡＭ４３に格納することもできる。
【００１７】
次に、動作を説明する。図２は本発明に係るナビゲーション装置の全体の流れを説明するための図である。ナビゲーション装置としてシステムを立ち上げて、地点入力、経路探索、経路案内などを行うまでの中央処理装置４のＣＰＵ４０により実行する処理の概要は、図２に示すようにまず、初期化処理を行ってＣＤ−ＲＯＭからナビゲーションプログラムを読み出し、これをフラッシュメモリ４１に格納して起動する（ステップＳ１１）。しかる後、例えば現在位置検出装置２より現在位置を取得する処理を行い、現在位置を中心としてその周辺地図を表示すると共に、現在位置の名称などを表示する（ステップＳ１２）。次に、電話番号や住所、施設名称、登録地点などを用いて目的地を設定する処理を行い（ステップＳ１３）、現在位置から目的地までの経路探索を行う（ステップＳ１４）。経路が決まると、現在位置検出装置２による現在位置追跡を行いながら、目的地に到着するまで経路案内の表示出力、音声出力の処理を行う（ステップＳ１５）。
【００１８】
本発明は、上記ナビゲーション装置において、画面外周を上下左右と４隅の８つに分割して、それぞれを移動方向とすると共に、モード解除のボタンエリアを設ける。そして、ジョグダイヤルを操作デバイスとし、その回転操作により各移動方向とモード解除を選択位置として移動させて移動方向軸、モード解除の選択、決定を行い、その決定後に、モード解除があるまで移動方向軸でのジョグダイヤルの回転操作の方向に応じた画面の移動を制御する。つまり、２段階操作により移動方向軸の決定を行って画面の移動を制御する。また、移動方向軸の決定後は、ジョグダイヤルの回転操作の方向に応じて正逆２方向に単純化する。以下にそれらの処理及び地図の表示制御について説明する。図３は地図の表示制御を行う画面の例を示す図、図４は地図の移動画面での移動方向軸の選択操作中の例を示す図、図５は地図の移動画面での移動方向軸が決定された状態の例を示す図、図６は地図の移動制御をジョグダイヤルの操作により行う処理の流れを説明するための図、図７は地図のズーム制御をジョグダイヤルの操作により行う処理の流れを説明するための図である。
【００１９】
本発明に係るナビゲーション装置における地図の表示制御を行う画面では、例えば地図を表示した画面においてジョグダイヤルの操作をトリガとして図３に示すように地図上にセットメニュー、移動、ズームなどのコマンドボタンを表示する。セットメニューのボタンは地点セットを行うモードに入る場合に用い、移動のボタンは後述する地図の移動を制御するモードに入る場合に用い、ズームは地図のズーミングを行うモードに入る場合に用いる。また、閉じるのボタンはコマンドボタンの表示を閉じる場合に用い、メニューのボタンは検索のモードに入る場合に用い、再音声のボタンは出力された案内音声を再度聞きたい場合に用い、全ルートのボタンは探索された全ルートを画面に出したい場合に用い、再探索のボタンは一度探索されたルートを別ルートで再探索したい場合に用いる。これらのボタンは、ジョグダイヤルの回転操作の方向に応じて所定の順序で選択位置が移動し、エンター操作で選択位置を決定する。なお、ジョグダイヤルの回転操作の方向を逆にすると選択位置の移動順序が反転する。ここで、移動ボタンを選択位置として決定すると遷移し、移動方向軸の選択を行うモードの画面の例を示したのが図４であり、画面外周を上下左右と４隅の８つに分割して、それぞれを移動方向とすると共に、モード解除の「戻る」、「ズーム」のボタンエリアを設けている。図４に示す画面では、ジョグダイヤルを回転操作に応じて強調表示した選択位置が８つに分割した移動方向のエリアと「戻る」、「ズーム」のボタンを順に移動し、エンター操作によりその選択位置を決定する。例えば「ズーム」のボタンを選択位置として決定すると、地図のズーム制御を行う画面になり、「戻る」のボタンを選択位置として決定すると、図３に示す画面に戻る。移動方向のいずれかのエリアを選択位置として決定すると、その移動方向軸での地図の移動制御を行うことができる。図４に示す状態では左上方向のエリアを選択位置としており、ここで、エンター操作されると、この移動方向軸を決定し、図５に示すように移動方向軸に対応する左上方向とその逆の右下方向のエリア、「戻る」のボタンの表示を残して他のエリアのボタンの輝度を極端に落とし、左上方向を強調表示する。図５に示す画面では、ジョグダイヤルを回転操作に応じて強調表示している左上方向に地図を移動している状態である。ジョグダイヤルの回転操作が止められると、地図の移動が停止して「戻る」を強調表示し、再び同じ方向にジョグダイヤルの回転操作が行われると、左上方向に地図を移動するが、逆の方向にジョグダイヤルの回転操作が行われると、逆の右下方向に地図を移動する。つまり、移動方向軸を固定したままジョグダイヤルの回転操作の方向に応じて地図の移動方向を反転させる。「戻る」は、この移動方向軸を変えるために使われ、ジョグダイヤルの回転操作が止められ、「戻る」を強調表示している状態でエンター操作されると、図４に示す画面に戻る。
【００２０】
次に、地図の移動を制御する場合の処理の流れを図６により説明する。まず、図３の画面で移動の選択位置を決定されたことにより、図４に示す移動操作及び縮尺呼び出しボタンを表示する（ステップＳ２１）。ジョグダイヤルの回転操作により選択位置が移動し、エンター操作されると、その選択位置が「移動」（外周の８つの選択エリアのいずれか）か「縮尺」（ズーム）か「戻る」かを判定する（ステップＳ２２）。「戻る」の場合には、前の画面に戻り、「縮尺」の場合には図７で後述する処理のステップＳ３１へ移行し、「移動」の場合には移動方向のボタンを決定する（ステップＳ２３）。次に、ジョグダイヤルの回転操作に応じて移動方向が順方向か逆方向かを判定して（ステップＳ２４）、それぞれの判定に従い決定方向又は逆方向に地図を移動する（ステップＳ２５、Ｓ２６）。さらにジョグダイヤルの回転操作が継続しているか否かを判定し（ステップＳ２７）、回転操作が継続している場合（ＹＥＳの場合）には、ステップＳ２４に戻って同様の処理を繰り返し、回転操作が止まった場合（ＮＯの場合）には、選択位置の強調表示を完了ボタン「戻る」へ戻す（ステップＳ２８）。続いて移動が再開／完了かを判定する（ステップＳ２９）。これは、ジョグダイヤルが回転操作されたか（再開）エンター操作されたか（完了）であり、再開の場合には、再度ステップＳ２４に戻り、完了の場合には、地図の移動制御を完了する。
【００２１】
また、ステップＳ２２で「縮尺」の場合に行う地図のズーミング処理は、図７に示すように広域ボタン、詳細ボタンからなる縮尺ボタンを表示し（ステップＳ３１）、ジョグダイヤルの回転操作の方向に応じて縮尺方向が順方向か逆方向かを判定する（ステップＳ３２）。順方向の場合には広域地図にズーミングし（ステップＳ３３）、逆方向の場合には詳細地図にズーミングする（ステップＳ３４）。さらにジョグダイヤルの回転操作が継続しているか否かを判定し（ステップＳ３５）、回転操作が継続している場合（ＹＥＳの場合）には、ステップＳ３２に戻って同様の処理を繰り返し行い、回転操作が止まった場合（ＮＯの場合）には、選択位置の強調表示を完了ボタン「戻る」へ戻す（ステップＳ３６）。続いて縮尺が再開／完了かを判定する（ステップＳ３７）。これは、ジョグダイヤルが回転操作されたか（再開）、「戻る」ボタンの選択位置でエンター操作されたか（完了）であり、再開の場合には、再度ステップＳ３１に戻り、完了の場合には、地図のズーム制御を完了する。なお、地図のズーミングは、図３に示す「ズーム」、図４に示す「ズーム」のいずれのボタンからも遷移することができる。
【００２２】
図８は地図の移動画面の他の構成例を示す図であり、画面の外周ではなく画面の一辺にボタン領域を設けて移動方向軸と完了、ズームのボタンを表示するものである。この画面の場合には、ジョグダイヤルの回転操作の方向に応じて図示上から下の方向へあるいは下から上の方向へ選択位置の強調表示したボタンを移動し、エンター操作して選択位置を決定している。
【００２３】
なお、本発明は、上記実施の形態に限定されるものではなく、種々の変形が可能である。例えば上記実施の形態では、画面外周を上下左右と４隅に８分割した地図の移動方向のボタンを設定したが、１６方向や無段階に移動方向が選択できるようにボタンを設定してもよいし、また、探索した経路上に沿って、いわゆるデモ走行に対応した地図の移動を選択できるようにしてもよい。また、ジョグダイヤルの回転操作の速さや操作の継続時間に応じて地図の移動速度やズーミング速度を変更させるようにしてもよい。
【図面の簡単な説明】
【００２４】
【図１】本発明に係るナビゲーション装置の実施の形態を示す図である。
【図２】本発明に係るナビゲーション装置の全体の流れを説明するための図である。
【図３】地図の表示制御を行う画面の例を示す図である。
【図４】地図の移動画面での移動方向軸の選択操作中の例を示す図である。
【図５】地図の移動画面での移動方向軸が決定された状態の例を示す図である。
【図６】地図の移動制御をジョグダイヤルの操作により行う処理の流れを説明するための図である。
【図７】地図のズーム制御をジョグダイヤルの操作により行う処理の流れを説明するための図である。
【図８】地図の移動画面の他の構成例を示す図である。
【符号の説明】
【００２５】
１…入出力装置、２…現在位置検出装置、３…情報記憶装置、４…中央処理装置、１１…ジョグダイヤル、１２…ディスプレイ、１３…プリンタ、１６…スピーカ、２１…ＧＰＳ受信装置、２２…ＶＩＣＳ受信装置、２３…データ送受信装置、２４…絶対方位センサ、２５…相対方位センサ、２５は距離センサ、４０…ＣＰＵ、４１…フラッシュメモリ、４２…ＲＯＭ、４３…ＲＡＭ、４４…画像メモリ、４５…画像プロセッサ、４６…音声プロセッサ、４７…通信インターフェース、４８…入力インターフェース
【図１】
2006317458.tif 000003
【図２】
2006317458.tif 000004
【図３】
2006317458.tif 000005
【図４】
2006317458.tif 000006
【図５】
2006317458.tif 000007
【図６】
2006317458.tif 000008
【図７】
2006317458.tif 000009
【図８】
2006317458.tif 000010